(57)【要約】      （修正有）【課題】組立てに不慣れな初心者や幼児であっても、特徴のある形状の部品を手がかりにして、ロボットの形状に組立てやすく、また、ねじ軸径の異なる二つのボルトを有する部品を連結させて、多様な形状、大きさのロボットとすることができ、柔軟な思考力を養うことができる知育玩具セットを提供する。【解決手段】ボルトとナットとを溶接してなり、ロボットをなす連結部品２０、３０に、ロボットを組み立てる際の手掛かりとなる特徴部品と、ねじ径の規格寸法が１つ異なる六角ナット１１、１２を重ねて溶接させた二段重ねナット１０とを含むようにした。特徴部品があることにより、組立てに不慣れな初心者であっても、遊びやすいロボット型の知育玩具とした。二段重ねナットがあることにより、ねじ軸径が異なる二つのボルトを連結可能とした。【選択図】図１
0003209777.tif 000002
【実用新案登録請求の範囲】
【請求項１】
複数のボルトと複数のナットとを部品とする部品群の中から選択されたいずれかを溶接させた複数の連結部品を有し、ロボットの形状に組み立てることができる知育玩具セットにおいて、
いずれの部品もステンレス鋼からなり、
前記連結部品に、ロボットの形状に組み立てる際の手掛かりとなる特徴部品と二段重ねナットとを含み、
前記二段重ねナットをなす一方のナットのねじ径の規格寸法が、他方のナットのねじ径の規格寸法よりもひとつ大きく、各々のナットのねじ孔の軸心を一致させるように重ね合わせて溶接されている、
ことを特徴とする知育玩具セット。
【請求項２】
前記特徴部品の中に、前記部品群の中から選択された六角袋ナットと３つの六角ナットとが溶接され、ロボットの頭部をなす頭部部品を含み、
前記頭部部品は、頭部上部部品と、頭部下部部品とからなり、
前記頭部上部部品は、六角袋ナットと２つの六角ナットとからなり、前記六角袋ナットの側面に前記２つの六角ナットのねじ孔を有する端面が溶接されてロボットの目とされ、
前記頭部下部部品は、１つの六角ナットからなり、そのねじ径の規格寸法が前記頭部上部部品の六角袋ナットのねじ径の規格寸法よりもひとつ小さく、ねじ孔の軸心を一致させるように、前記六角袋ナットと、前記１つの六角ナットとが重ね合わせて溶接されてなる、
ことを特徴とする請求項１に記載の知育玩具セット。
【請求項３】
前記特徴部品の中に、前記部品群の中から選択された３つの六角ナットと２つの皿ボルトとが溶接され、ロボットの肩部をなす肩部部品を含み、
前記肩部部品は、中央の六角ナットの向かい合う一対の側面の夫々に、両側の六角ナットの側面が溶接されると共に、
前記両側の六角ナットの側面の夫々に、前記皿ボルトの皿面が溶接され、各々の六角ナットと前記皿ボルトのねじ軸とが、直線状に配列されてなる、
ことを特徴とする請求項１に記載の知育玩具セット。
【請求項４】
前記特徴部品の中に、前記部品群の中から選択された１つの六角ボルトと少なくとも１対の六角ナットとが溶接され、ロボットの胴部をなす胴部部品を含み、
前記胴部部品は、前記六角ボルトの六角頭部の側面のうちの、軸心を挟んで向かい合う対をなす側面の夫々に、前記六角ナットの側面が溶接されてなる、
ことを特徴とする請求項１に記載の知育玩具セット。
【請求項５】
前記特徴部品の中に、前記部品群の中から選択された１つの蝶ナットと２つの六角ナットとが溶接され、ロボットの肩部をなす肩部部品を含み、
前記肩部部品は、前記蝶ナットのねじ孔を挟んで両側に伸びる翼部の外方の夫々の側面に、斜め下方に向けて、前記六角ナットのねじ孔を有する面が溶接されてなる、
ことを特徴とする請求項１に記載の知育玩具セット。
【請求項６】
前記特徴部品の中に、前記部品群の中から選択された２つの皿ボルトが溶接され、ロボットの脚部をなす脚部部品を含み、
前記脚部部品は、２つの皿ボルトの皿面が接するように溶接されてなる、
ことを特徴とする請求項１に記載の知育玩具セット。
【考案の詳細な説明】
【技術分野】
【０００１】
本考案は、ボルトとナットとからなる部品を螺合させてロボットの形状をなす知育玩具セットに関する。より詳細には、組立てに不慣れな初心者や幼児であっても、特徴のある形状の部品を手がかりにして、ロボットの形状に組立てやすい知育玩具セットに関する。また、ねじ軸径の異なる二つのボルトを有する部品を連結させて、多様な形状、大きさのロボットとすることができ、柔軟な思考力を養うことができる知育玩具セットに関する。
【背景技術】
【０００２】
従来から、直方体形状のブロックの天面に凸部を設けると共に、底面に凹部を設け、前記凹部に前記凸部を挿し込んで連結させることのできる知育用のブロック玩具が知られている。このブロック玩具は、複数のブロックを組み合わせることにより、様々な完成形状を得ることができるため、幼児の柔軟な思考力を養うことができるとされている。
【０００３】
しかし、従来のブロック玩具は、夫々のブロック部材の長さや凹凸部が設けられた個数は異なるものの、殆どの部材が単純な略直方体とされている。そのため、夫々のブロック部材の組み合わせの自由度が高い反面、幼児が望んだ人や犬といった特定の完成形状に組み立てにくく、玩具から興味を失ってしまうこともあった。同様に、大人が幼児と一緒に遊ぶ際にも、幼児に指導しにくいという課題があった。
【０００４】
特許文献１には、外周面がギア形状に形成された連結オス部を有する部品と、内周面がギア形状に形成された連結メス部を有する部品の中から、複数の部品を選択して、オス部にメス部を挿し込むことにより、多様な完成形状の玩具を組立てることが可能な知育用玩具の技術が開示されている。この特許文献１に記載の技術によれば、連結部がギア形状とされるため、連結メス部に連結オス部を噛み合わせる角度を、ギアの歯部形状に応じて段階的に変更できるとされている。
【０００５】
しかし、特許文献１に記載の知育用玩具は、従来のブロック玩具と同様に、夫々の部品の長さを変えることができないため、完成体の形状を変えることができても、完成体の大きさを変えることはできなかった。完成体の大きさを変えるには、完成体をなす部品の組み合わせを変えることが必要であり、部品を数多く必要とするという課題があった。
【０００６】
また、幼児が組立て玩具で遊ぶ際には、単に玩具を組み立てるだけに留まらず、完成体の腕や脚を動作させながら遊ぶこともある。しかし、特許文献１に記載の技術は、連結部がギア状とされ、夫々の部品を連結させた状態からは、完成体の手足を自由に動作させることができず、幼児が興味を失いやすいという課題があった。
【０００７】
特許文献２には、複数のブロックを組み合わせてなる組立玩具の技術が開示されている。特許文献２に記載の技術によれば、各ブロックは、金属製金具、非金属製の蝶番、非金属製の釘、非金属製のネジ、非金属製のナット及び非金属製のワッシャーの中から選択される同種又は異種の２個以上の基本パーツだけで構成されているとされている。
【０００８】
そのため、組立部品の構造を容易に理解することができることから、組立過程を通じて、新しい形態や新しいブロックの想像・創作活動が掻き立てられるとされている。また、全てのブロックは他の何れかのブロックに組み合う連結部を備えており、夫々のブロック同士を組み合わせることが可能とされている。
【０００９】
しかし、特許文献２に記載の技術によれば、ねじ径の小さいボルト・ナットが使用される小型の基本パーツと、ねじ径の大きいボルト・ナットが使用される基本パーツを別々に揃えた場合には、互いの部品を相互に利用し、新たな形状の組立玩具とするという拡張性がないという課題があった。
【先行技術文献】
【特許文献】
【００１０】
特許文献１：特開２０１４−２１０１８７号公報
特許文献２：特開２００３−２２５４７６号公報
【考案の概要】
【考案が解決しようとする課題】
【００１１】
本考案は、組立てに不慣れな初心者や幼児であっても、特徴のある形状の部品を手がかりにして、ロボットの形状に組立てやすく、また、ねじ軸径の異なる二つのボルトを有する部品を連結させて、多様な形状、大きさのロボットとすることができ、柔軟な思考力を養うことができる知育玩具セットを提供することを課題としている。
【課題を解決するための手段】
【００１２】
本考案の第１の考案の知育玩具セットは、複数のボルトと複数のナットとを部品とする部品群の中から選択されたいずれかを溶接させた複数の連結部品を有し、ロボットの形状に組み立てることができる知育玩具セットにおいて、いずれの部品もステンレス鋼からなり、前記連結部品に、ロボットの形状に組み立てる際の手掛かりとなる特徴部品と二段重ねナットとを含み、前記二段重ねナットをなす一方のナットのねじ径の規格寸法が、他方のナットのねじ径の規格寸法よりもひとつ大きく、各々のナットのねじ孔の軸心を一致させるように重ね合わせて溶接されていることを特徴としている。
【００１３】
二段重ねナットをなす一方の六角ナットと、他方の六角ナットのねじ孔の軸心を一致させているため、ボルトとナットとの螺合深さを変えることにより、ロボットの首部・胴部・腕部・脚部の長さを変えることができる。これにより、ロボットに使われる部品を変更させることなく、ロボットの大きさを変えることができる。
【００１４】
二段重ねナットは、夫々の六角ナットのねじ径の規格寸法が１つ異なるものとされている。これにより、ねじ径の規格寸法が１つ異なる２つのボルトを、軸心を一致させた状態で連結させることができ、様々な完成形状のロボットを組立てることができる。このため、ねじ径の大きいボルト・ナットが主部品をなす大型のロボットと、ねじ径の小さいボルト・ナットが主部品をなす小型のロボットとを合体させることが可能となる。
【００１５】
具体的には、大型のロボットの前腕部品の先端に二段重ねナットを装着させ、二段重ねナットに小型ロボットの一部の部品を連結させて、二体のロボットを合体させることができる。この場合には、大型のロボットが武器を把持しているようにすることもできる。このように、先に小型のロボットのみを用意し、大型のロボットを追加した場合であっても、先に用意した小型のロボットを有用に使用することができる。二段重ねナットにより連結させる連結部品は限定されず、小型のロボットの胴部部品や頭部部品を大型ロボットの腕部部品に合体させる、といった自由な発想によりロボットを組立ててもよいことは勿論のことである。
【００１６】
また、二段重ねナットを含むことにより、ねじ径の規格寸法が異なるボルトを有する連結部品を連結させることができるため、ねじ径の異なる部品を混在させることができる。そうすると、従来のブロック玩具とは異なり、螺合される部品のねじ径が適合しているかを考慮して部品を組み合わせることが必要となる。そのため、幼児がロボットを組み立てる際に、従来の組立て玩具よりも、試行錯誤を繰り返しながら組立てを行うことになり、幼児の柔軟な思考力を養うことができる。
【００１７】
また、連結部品を連結させる手段が、ねじの螺合とされるため、ねじ軸とねじ孔との径が適合していたとしても、ねじ孔とねじ軸の軸心を揃えて、ねじ込まなければ連結させることができない。そのため、ねじ径が適合する部品を選んで、ねじ軸とねじ孔との軸心を揃えてねじ込むことでも、幼児の知育に寄与する。
【００１８】
また、脚部部品の螺合深さが両足で異なっていると、ロボットが傾くことになるため、連結部品の螺合深さも考慮する必要がある。同一の完成形状のロボットを再度組み立てる場合であっても、ねじ径の組み合わせ・螺合深さ等を、常に思考しながら組み立てることが必要になり、組み立てるごとに工夫が必要となり、幼児の知育に寄与する。
【００１９】
また、連結部品をなすボルトとナットとが、いずれもステンレス鋼であることにより、鉄製のボルト・ナットのように溶接前に塗装を剥がす前処理を行う必要がない。また、ステンレス鋼は錆びないため、溶接後に錆止め塗装を再塗装する必要がなく、塗装がはがれることもない。そのため、幼児等が素手でロボットを組み立てた後に、手を口に運んだとしても安全である。
【００２０】
ここで本考案に供されるボルト・ナットについて簡単に説明する。ボルトとは、六角ボルトに限定されず、皿ボルトや、蝶ボルト、丸頭ボルト等のいずれのボルトであってもよいことは勿論のことである。ナットもボルトと同様に、六角ナットに限定されず、六角袋ナット、蝶ナット等のいずれのナットであってもよいことは勿論のことである。
【００２１】
また、組立ての手掛かりとなる特徴部品を有するため、幼児や組立てに不慣れな初心者であっても完成形状を想像しやすい。具体的に特徴部品とは、ロボットの頭部部品、胴部部品、肩部部品等とされる。このため、幼児がロボットの完成形状を直感的に理解しやすく、大人と幼児とが一緒に遊ぶ際にも、大人が幼児に遊び方を指導しやすい。
【００２２】
本考案の第２の考案は、第１の考案の知育玩具セットであって、前記特徴部品の中に、前記部品群の中から選択された六角袋ナットと３つの六角ナットとが溶接され、ロボットの頭部をなす頭部部品を含み、前記頭部部品は、頭部上部部品と、頭部下部部品とからなり、前記頭部上部部品は、六角袋ナットと２つの六角ナットとからなり、前記六角袋ナットの側面に前記２つの六角ナットのねじ孔を有する端面が溶接されてロボットの目とされ、前記頭部下部部品は、１つの六角ナットからなり、そのねじ径の規格寸法が前記頭部上部部品の六角袋ナットのねじ径の規格寸法よりもひとつ小さく、ねじ孔の軸心を一致させるように、前記六角袋ナットと、前記１つの六角ナットとが重ね合わせて溶接されてなることを特徴としている。
【００２３】
六角袋ナットがロボットの滑らかな頭を模し、六角袋ナットの六角側面に溶接された六角ナットがロボットの目を模し、頭部下部部品がロボットの顎を模し、全体としてロボットの頭部部品であることを組立て者に容易に理解させることができる。すなわち、多数ある部品の中からでも、頭部を表す特徴部品として理解させやすい。
【００２４】
そして、ロボットの頭部部品を組立ての手掛かりとして、肩部部品や胴部部品を連結させれば、組立てに不慣れな初心者であっても、ロボットの形状に組立てることができる。また、人の頭部に模した部品を備えることにより、無機質なボルト・ナットの中にも表情が生まれ、親しみやすい組立玩具とすることができる。これにより、組立てに不慣れな初心者であっても遊びやすく、親しみのあるロボットを完成させることができる。
【００２５】
本考案の第３の考案は、第１の考案の知育玩具セットであって、前記特徴部品の中に、前記部品群の中から選択された３つの六角ナットと２つの皿ボルトとが溶接され、ロボットの肩部をなす肩部部品を含み、前記肩部部品は、中央の六角ナットの向かい合う一対の側面の夫々に、両側の六角ナットの側面が溶接されると共に、前記両側の六角ナットの側面の夫々に、前記皿ボルトの皿面が溶接され、各々の六角ナットと前記皿ボルトのねじ軸とが、直線状に配列されてなることを特徴としている。
【００２６】
この肩部部品は、３つの六角ナットと２つの皿ボルトが直線状に配列されており、全体として細長く伸びる特徴的な外観を呈している。これにより、多数ある部品の中からでも、肩部を表す特徴部品として理解させやすいと共に、肩幅が広く体格の良いロボットを組立てることができる。
【００２７】
なお、両側に配置される六角ナットのねじ孔を有する端面は、中央に配置される六角ナットのねじ孔を有する面と同一方向に向けられてもよく、交差方向に向けられてもよく、限定されない。また、両側に配置される六角ナットのねじ孔径は、中央に配置される六角ナットのねじ径と同一の規格寸法であってもよく、異なる規格寸法のねじ径とされてもよい。規格寸法を異にすれば、試行錯誤しながら様々な完成形状を組立てることになるため、幼児の知育に寄与する。
【００２８】
また、肩部をなす部品が直線状に配置されているため、小型のロボットに含まれる前記肩部部品を取り出し、上述した二段重ねナットにより大型のロボットの手に装着させると、あたかも槍や剣といった武器を把持しているかのようにみせることもできる。これにより、ロボットの完成形状や合体形状を多様化させることができる。
【００２９】
本考案の第４の考案は、第１の考案の知育玩具セットであって、前記特徴部品の中に、前記部品群の中から選択された１つの六角ボルトと少なくとも１対の六角ナットとが溶接され、ロボットの胴部をなす胴部部品を含み、前記胴部部品は、前記六角ボルトの六角頭部の側面のうちの、軸心を挟んで向かい合う対をなす側面の夫々に、前記六角ナットの側面が溶接されてなることを特徴としている。
【００３０】
六角ボルトが背骨を模し、六角ナットが腰部を模しており、全体として胴部部品をなしている。多数ある部品の中からでも、胴部を表す特徴部品として理解させやすい。胴部部品をなす六角ナットの数は限定されない。一対の六角ナットとされる場合には、二足歩行の人間を模した形状となり、二対の六角ナットとされる場合には、四足歩行のロボットとなる。これにより、ロボットの完成形状や合体形状を多様化させることができる。
【００３１】
本考案の第５の考案は、第１の考案の知育玩具セットであって、前記特徴部品の中に、前記部品群の中から選択された１つの蝶ナットと２つの六角ナットとが溶接され、ロボットの肩部をなす肩部部品を含み、前記肩部部品は、前記蝶ナットのねじ孔を挟んで両側に伸びる翼部の外方の夫々の側面に、斜め下方に向けて、前記六角ナットのねじ孔を有する面が溶接されてなることを特徴としている。
【００３２】
蝶ナットが肩部を模し、六角ナットが肩関節を模しており、全体として肩部部品をなしている。多数ある部品の中からでも、肩部を表す特徴部品として理解させやすい。六角ナットが蝶ナットの翼部の側面に、斜め下方に向けて溶接されているため、六角ナットに腕部部品を連結させると、両腕を斜め下方に向けて左右に広げた形状となる。更に、蝶ナットの上下方向を反転させると、両腕を斜め上方に向けて左右に広げた形状となり、あたかも万歳をしているかのような形状となる。これにより、親しみのあるロボット玩具とすることができる。
【００３３】
本考案の第６の考案は、第１の考案の知育玩具セットであって、前記特徴部品の中に、前記部品群の中から選択された２つの皿ボルトが溶接され、ロボットの脚部をなす脚部部品を含み、前記脚部部品は、２つの皿ボルトの皿面が接するように溶接されてなることを特徴としている。二つの皿ボルトの皿面が接しているため、脚部部品の中央部が球体状に膨らんだ状態となり、人間の膝関節を模した脚部部品とすることができる。これにより、多数ある部品の中からでも、脚部を表す特徴部品として理解させやすい。また、人体構造に近いロボットの形状とすることができる。
【考案の効果】
【００３４】
・本考案の第１の考案によれば、ねじ径の規格寸法が１つ異なる２つのボルトを、軸心を一致させた状態で連結させることができ、様々な完成形状のロボットを組立てることができる。また、幼児がロボットを組み立てる際に、従来の組立て玩具よりも、試行錯誤を繰り返しながら組立てを行うことになり、幼児の柔軟な思考力を養うことができる。ねじ径の組み合わせ・螺合深さ等を、常に思考しながら組み立てることが必要になり、組み立てるごとに工夫が必要となり、幼児の知育に寄与する。また、幼児等が素手でロボットを組み立てた後に、手を口に運んだとしても安全である。
・本考案の第２の考案によれば、多数ある部品の中からでも、頭部を表す特徴部品として理解させやすい。また、組立てに不慣れな初心者であっても遊びやすく、親しみのあるロボットを完成させることができる。
【００３５】
・本考案の第３の考案によれば、多数ある部品の中からでも、肩部を表す特徴部品として理解させやすい。また、肩幅が広く体格の良いロボットを組立てることができる。
・本考案の第４の考案によれば、多数ある部品の中からでも、胴部を表す特徴部品として理解させやすい。また、ロボットの完成形状や合体形状を多様化させることができる。
・本考案の第５の考案によれば、多数ある部品の中からでも、肩部を表す特徴部品として理解させやすい。また、親しみのあるロボット玩具とすることができる。
・本考案の第６の考案によれば、多数ある部品の中からでも、脚部を表す特徴部品として理解させやすい。また、人体構造に近いロボットの形状とすることができる。
【図面の簡単な説明】
【００３６】
【図１】二段重ねナットを説明する説明図（実施例１）。
【図２】特徴部品の具体例を説明する説明図（実施例１）。
【図３】ロボットの一例を説明する説明図（実施例２）。
【図４】ロボットの一例を説明する説明図（実施例３）。
【図５】ロボットの一例を説明する説明図（実施例４）。
【図６】大型のロボットと小型のロボットとを合体させる例を説明する説明図（実施例５）。
【図７】大型のロボットと小型のロボットとを合体させる例を説明する説明図（実施例５）。
【図８】複数のロボットを合体させた例を説明する説明図（実施例６）。
【考案を実施するための形態】
【００３７】
ロボットをなす連結部品に、組み立てる際の手掛かりとなる特徴部品と、ねじ径の規格寸法が１つ異なる六角ナットを重ねて溶接させた二段重ねナットとを含むようにした。特徴部品があることにより、組立てに不慣れな初心者であっても、組み立て易い知育玩具とした。二段重ねナットがあることにより、ねじ軸径が異なる二つのボルトを連結可能とし、様々な完成形状のロボットを組立てることができるようにした。また、ロボットをなすボルト・ナットをステンレス鋼とすることにより錆びにくく、安全な玩具とした。
【実施例１】
【００３８】
実施例１では、図１及び図２を参照して、ロボットをなす二段重ねナット１０と特徴部品について説明する。図１は二段重ねナット１０を説明する説明図を示している。図１の各々の図では、二つの重ね合わされた六角ナット１１，１２の軸心の想像線を一点鎖線で示している。また、理解を容易にするため、図１（Ｂ）図及び図１（Ｃ）図では、二段重ねナット１０について断面で示すと共に、六角ナットの雌ねじ溝について省略している。図２の各々の図は、ロボットを組立てる際の手掛かりとなる特徴部品を説明する説明図を示している。
【００３９】
まず、図１を参照して、二段重ねナット１０について説明する。図１（Ａ）図は、二段重ねナット１０の斜視図を示し、図１（Ｂ）図は、二段重ねナット１０により、連結部品２０，３０を連結させる前の状態を、ナット部を断面図で示した側面図により示している。図１（Ｃ）図は、二段重ねナット１０により、連結部品２０，３０を連結させた後の状態を、ナット部を断面図で示した側面図により示している。
【００４０】
二段重ねナット１０は、ねじ径の規格寸法が小さい一方の六角ナット１１に比べて、ねじ径の規格寸法が大きい他方の六角ナット１２の方が、ねじ径の規格寸法が１つ大きくされている。より具体的に、六角ナットの規格寸法がＩＳＯのメートルねじの規格とされる例で説明すると、一方の六角ナットのねじ孔１３の規格寸法がＭ４とされ、他方六角ナットのねじ孔１４の規格寸法がＭ５の六角ナットとされればよい。外にもＭ５とＭ６，Ｍ６とＭ８等の六角ナットを組み合わせてもよいことは勿論のことである。各々の六角ナットは、互いのねじ孔の軸心を一致させるように重ね合わされ、溶接されて一体とされている。
【００４１】
次に、ステンレス鋼製の六角ナットを溶接させる方法について簡単に説明する。まず、重ね合わせた二つの六角ナット１１，１２を、周知の保持手段（図示を省略している）により軸心がずれないように仮固定させる。そして、六角ナットを仮固定させた状態で、ねじ孔の小さい六角ナット１１と、ねじ孔の大きい六角ナット１２とが接した六角端面１５の六箇所の角隅部のうち、三箇所の角隅部１６を一箇所おきに溶接し、二つの六角ナットを一体とさせる。六角ナットの溶接は限定されず、ステンレス鋼の溶接に適した例えばＴＩＧ溶接とされればよい。
【００４２】
次に、二段重ねナット１０を使用し、ねじ軸径の異なる連結部品２０，３０を連結させる具体例について説明する。ここでは、ねじ軸径の小さい方の連結部品２０は、皿ボルト２１の皿面２２と、六角ナット２４のねじ孔を有する六角端面２５が溶接されている。ねじ軸径の大きい方の連結部品３０は、皿ボルト３１の皿面３２と、六角ナット３４の六角側面３５が溶接されている。二段重ねナット１０のうち、ねじ孔径の大きい六角ナット１２に、連結部品３０の皿ボルトのねじ軸３３が螺合され、ねじ孔の小さい六角ナット１１に、連結部品２０の皿ボルトのねじ軸２３が螺合される。これにより、二つの連結部品２０，３０が連結可能とされる（図１（Ｂ）図参照）。
【００４３】
そのため、ロボットをなす連結部品は、夫々の部品についてねじ軸径・ねじ孔径が、一律の規格寸法に統一される必要がない。換言すれば、ひとつの玩具セットにおいて、複数のねじ軸径・ねじ孔径を有する連結部品を混在させても、夫々の連結部品を連結させてロボットを組立てることができる。
【００４４】
また、二段重ねナット１０をなす六角ナット１１，１２の軸心が一致されているため、二段重ねナットにより連結される連結部品２０，３０をなす皿ボルトのねじ軸２３，３３の軸心についても一致される（図１（Ｃ）図一点鎖線参照）。そのため、複数の連結部品が有するねじ軸の軸心を一致させたまま、ねじ軸の異なる連結部品を螺合させることができ、人の腕や脚を模した部品を組み立てることができる。具体的には、二段重ねナット１０を人の肘関節に見立て、連結部品３０を人の上腕部に見立て、連結部品２０を人の前腕部に見立てれば、人の腕部を模した腕部部品を得ることができる（図１（Ｃ）図，図８参照）。
【００４５】
次に、図２の各々の図を参照して、ロボットの組立てる際の手掛かりとなる特徴部品について説明する。図２（Ａ）図は、頭部部品４０の正面図を示し、図２（Ｂ）図は、頭部部品４０の側面図を示している。図２（Ｃ）図は、肩部部品５０の正面図を示し、図２（Ｄ）図は、肩部部品５０の平面図を示している。図２（Ｅ）図は、胴部部品６０の正面図を示し、図２（Ｆ）図は、胴部部品６０の平面図を示している。図２（Ｇ）図は、肩部部品７０の正面図を示し、図２（Ｈ）図は、肩部部品７０の平面図を示している。図２（Ｉ）図は、脚部部品８０の正面図を示し、図２（Ｊ）図は、脚部部品８０の平面図を示している。
【００４６】
まず、図２（Ａ）図及び図２（Ｂ）図を参照して、特徴部品をなす頭部部品４０について説明する。頭部部品４０は、頭部上部部品４１と、頭部下部部品４６とからなっている。頭部上部部品４１は、六角袋ナット４２と、六角袋ナットの六角側面４３に溶接された二つの六角ナット４５，４５からなっている。各々の六角ナット４５，４５は、ロボットの目を模すように隣り合わされ、夫々のねじ孔を有する六角端面が、六角袋ナットのひとつの六角側面４３に溶接されている。なお、溶接方法は上述した二段重ねナットと同様であるため、説明を省略する。
【００４７】
頭部下部部品４６は、六角袋ナット４３のねじ孔よりも、ねじ径の規格寸法がひとつ小さい六角ナット４７とされる。頭部下部部品４６は、六角袋ナット４３のねじ孔を有する六角端面４４に、六角ナット４７のねじ孔を有する六角端面を、互いのねじ孔の軸心を一致させるように重ね合わせて溶接される。頭部上部部品４１をなす六角袋ナット４２がロボットの滑らかな頭部を模し、頭部上部部品４１をなす二つの六角ナット４５，４５がロボットの両目を模し、頭部下部部品４６をなす六角ナット４７がロボットの顎を模し、全体としてロボットの頭部部品４０をなしている。
【００４８】
次に、図２（Ｃ）図及び図２（Ｄ）図を参照して、特徴部品をなす肩部部品５０について説明する。肩部部品５０は、ひとつの蝶ナット５１と、二つの六角ナット５４，５４とからなっている。二つの六角ナット５４，５４は、蝶ナットのねじ孔を挟んで両側に伸びる翼部５２，５２の外方側面５３に、六角ナット５４，５４のねじ孔を有する六角端面５５が、斜め下方に向けられて溶接されている。
【００４９】
次に、図２（Ｅ）図及び図２（Ｆ）図を参照して、特徴部品とされる胴部部品６０について説明する。胴部部品６０は、ひとつの六角ボルト６１と四つの六角ナット６４とからなっている。中央に配置された六角ボルト６１の軸心を挟んで向かい合う二対の六角頭部側面６２，６３の夫々に、四つの六角ナット６４の六角側面が溶接されている。この胴部部品６０の変形例として、六角ナット６４の数を二つとし、六角頭部側面６２のみに六角ナット６４を溶接させ、六角頭部側面６３に溶接されている六角ナット６４を省略してもよい。
【００５０】
次に、図２（Ｇ）図及び図２（Ｈ）図を参照して、特徴部品とされる肩部部品７０について説明する。肩部部品７０は、三つの六角ナット７２，７１，７２と、二つの皿ボルト７４，７４が溶接されてなる。三つの六角ナットのうち、中央に配置される六角ナット７１のねじ孔は、両側に配置される六角ナット７２，７２のねじ孔よりも、ねじ径の規格寸法が１つ大きくされている。
【００５１】
また、三つの六角ナット７２，７１，７２は、いずれもねじ孔を有する六角端面が同一方向に向けられている。六角ナット７２，７２の六角側面７３，７３の夫々には、皿ボルト７４の皿面７５が溶接され、六角ナット７２，７１，７２と皿ボルトのねじ軸７６，７６とが、全体として直線をなすように配列される。この肩部部品７０を使用すると、肩幅の広い外観のロボット（図４参照）を得ることができる。
【００５２】
次に、図２（Ｉ）図及び図２（Ｊ）図を参照して、特徴部品とされる脚部部品について説明する。脚部部品は、二つの皿ボルトからなり、互いの皿ボルトの皿面同士が接するように溶接された連結部品となっている。二つの皿面が接するように溶接されているため、脚部部品の中央が球体状に膨らんだ形状となり、人の膝関節を模した連結部品をなしている。
【実施例２】
【００５３】
実施例２では、図３を参照して、基本的な形状をなすロボット１を説明する。このロボット１は、図２（Ａ）図から図２（Ｅ）図に示す、頭部部品４０・肩部部品５０・胴部部品６０を使って組み立てている。図３（Ａ）図は、ロボット１の正面図を示し、図３（Ｂ）図はロボット１を各々の部品に分解させた分解図を示し、図３（Ｃ）図は、ロボット１の変形例の説明図を示している。実施例２以降では、既に説明した連結部品については同一の符号を付して説明を省略している。
【００５４】
ロボット１の組立て手順は、胴部部品６０をなす六角ボルト６１に、肩部部品５０をなす蝶ナット５１を螺合させる。次いで、胴部部品６０をなす六角ボルト６１の先端に、頭部部品４０をなす六角ナット４７を螺合させる。この時点で、ロボット１の両手・両足以外が組立てられた状態となる。そして、最後に腕部部品をなす連結部品２０を、肩部部品５０の六角ナット５４に螺合させる。同様に、脚部部品をなす４本の円筒ボルト１１０を、胴部部品６０をなす４つの六角ナット６４（図２（Ｆ）図参照）の夫々のねじ孔に螺合させ、ロボット１が組立てが完了する。
【００５５】
ロボット１においては、特徴部品をなす頭部部品４０・肩部部品５０・胴部部品６０の夫々が組立ての手掛かりとなっている。そのため、組立てに不慣れな初心者や幼児であっても、基本となる形状をなすロボット１を直感的に組み立てることができる。また、ロボット１は、肩部部品５０の上下方向を反転させることにより全体形状を変更させることができる（図３（Ａ）図，図３（Ｃ）図参照）。
【００５６】
肩部部品５０に対して、連結部品２０が斜め下方に向けて螺合されるようにすると、両手を斜め下方に向けて左右に広げた形状となる（図３（Ａ）図参照）。一方、肩部部品５０の上下方向を反転させて胴部部品６０に螺合させると、ロボット１が万歳をしているように組立てることもでき、コミカルな形状をとらせることができる（図３（Ｃ）図参照）。
【実施例３】
【００５７】
実施例３では、図４を参照して、基本的な形状をなすロボット２を説明する。このロボット２は、図１（Ａ）図に示す二段重ねナットよりも夫々ねじ径が小さい２つのナットからなる二段重ねナット１８と、図２（Ｇ）図から図２（Ｊ）図に示す、肩部部品７０・脚部部品８０とを使って組み立てている。図４（Ａ）図は、ロボット２の正面図を示し、図４（Ｂ）図はロボット２を各々の連結部品に分解した分解図を示し、図４（Ｃ）図は、ロボット２の変形例の説明図を示している。
【００５８】
まず、二段重ねナット１８と特徴部品とされた連結部品以外で、ロボット２の組立てに使用される連結部品について説明する（図４（Ｂ）図参照）。頭部部品２１０は、同一のねじ孔径の六角ナット２１１が二つ重ねられて溶接された連結部品とされる。前腕部部品２２０は、実施例１で説明した連結部品３０（図１（Ｂ）図参照）と同一とされるが、理解を容易にするため別の符号を付している。腰部部品２３０は、中央に配置された六角ナット２３１のねじ孔の軸心を挟んで対向する一対の六角側面の夫々に、同一の規格寸法の六角ナット２３２，２３２を接しさせて溶接し、全体として三つの六角ナットが直線状に配置された連結部品とされる。
【００５９】
ロボット２の組立て手順は、組立ての手掛かりとなる肩部部品７０の中央に配置された六角ナット７１に、胴部部品２４０の一方のねじ軸２４１を、六角ナット７１を貫通するように螺合させる（図４（Ａ）図及び図４（Ｂ）図参照）。ここでは、実施例１で説明した脚部部品８０を、胴部部品２４０としても利用している。次に、肩部部品７０の六角ナットを貫通するように螺合された胴部部品２４０のねじ軸２４１に、頭部部品２１０を螺合させる。そして、胴部部品２４０の他方のねじ軸２４２に、腰部部品２３０をなす六角ナット２３１が螺合される。
【００６０】
更に、腰部部品２３０をなす両側の六角ナット２３２の夫々に、脚部部品８０を螺合させ、脚部部品８０の先方に、二段重ねナット１８が螺合される。ここでは、二段重ねナット１８は、人の足首から先の部分を模した部品として使用される。最後に、肩部部品７０をなす両側の皿ボルト７４のねじ軸７６に、前腕部部品２２０をなす六角ナット２２１が螺合されると共に、抜け止め用の六角ナット２５０が螺合され、ロボット２の組立てが完成される（図４（Ａ）図参照）。
【００６１】
この場合も、特徴部品をなす肩部部品７０、脚部部品８０が組立ての手掛かりとされるため、組立てに不慣れな初心者であってもロボット２を組立てることができる。また、直線状に長く延びた形状の肩部部品７０が使用されることにより、肩幅が広く体格のよいロボットを組立てることができる。
【００６２】
次に、図４（Ｃ）図を参照して、夫々の連結部品の螺合深さを変えて、ロボットの大きさを変更した例を説明する。螺合深さを変更した箇所は、胴部部品２４０と腰部部品２３０、腰部部品２３０と脚部部品８０、二段重ねナット１８と脚部部品８０、肩部部品７０と前腕部部品２２０としている。これらの螺合深さを変えることにより、ロボットの身長が小さくなり、同じ連結部品からなるロボットの完成形状の印象を変更させることができる。
【００６３】
また、肩部部品と前腕部部品の螺合深さを変えることにより、前腕部を前方に突き出させた形状とすることも、上方に掲げた形状とすることもできる。前腕部部品の向きを変更する際には、抜け止め用の六角ナット２５０の外面に、前腕部部品２２０をなす皿ボルトの外縁部２２３を引っ掛けるようにすれば、前腕部部品を動かした状態のまま留め置くこともできる（図４（Ｃ）図参照）。
【実施例４】
【００６４】
実施例４では、図５を参照して、基本的な形状をなすロボット３を説明する。このロボット３は、図１（Ａ）図に示す二段重ねナット１０と六角ナットのねじ径のみが異なる二段重ねナット１９と、実施例１で説明した胴部部品６０の変形例である胴部部品３５０を使って組み立てている。図５（Ａ）図は、ロボット３の正面図を示し、図５（Ｂ）図はロボット３の分解図を示し、図５（Ｃ）図は、ロボット３の変形例の説明図を示している。
【００６５】
まず、二段重ねナット１９と特徴部品をなす連結部品以外に、ロボット３の組立てに使用される連結部品について説明する（図５（Ｂ）図参照）。頭部部品３１０は、蝶ナットとされる。上腕部部品３２０は、トラスボルト３２１と六角ナットが溶接された連結部品とされる。六角ナット３２３の六角側面は、トラスボルト頭部のねじ軸が延設されている平坦面３２２に溶接されている。肩部部品３３０は、ねじ孔の大きい中央の六角ナット３３１と、二つのねじ孔の小さい六角ナット３３２，３３２が溶接された連結部品とされる。二つの小さい六角ナット３３２は、夫々の六角端面が中央の六角ナットの向かい合う一対の六角側面に接するようにして溶接されている。
【００６６】
ロボット３の組立て手順は、特徴部品とされる胴部部品３５０をなす六角ボルト３５１のねじ軸に、六角ナット３４０、肩部部品３３０をなす中央の六角ナット３３１、頭部部品３１０をなす蝶ナットの順で螺合させる。そして、肩部部品３３０の両側の小さな六角ナット３３２に、上腕部部品３２０をなすトラスボルトのねじ軸が螺合され、上腕部部品３２０をなす六角ナット３２３に、前腕部部品３６０をなす円筒ボルトが螺合される。
【００６７】
最後に、胴部部品３５０をなす六角ナット３５２に、脚部部品３７０をなすねじ軸３７１の一端が螺合され、他端に二段重ねナット１９が螺合され、ロボット１が完成される（図５（Ａ）図参照）。このロボット１も、実施例３と同様に、それぞれのボルト・ナットの螺合深さを変更することにより、完成形状の大きさや腕の向きを変更させることができる（図５（Ｃ）図参照）。
【実施例５】
【００６８】
実施例５では、図６及び図７を参照して、二段重ねナット１０を使用し、大型のロボット３と、大きさのみが異なる小型のロボット４との二体を合体させる例について説明する。図６（Ｂ）図では、二段重ねナット１０を破線で示している。また、図７（Ｇ）図では夫々の連結部品が螺合される向きを矢印で示している。
【００６９】
図６（Ａ）図は、小型のロボット４の正面図を示し、図６（Ｂ）図は大型のロボット３の正面図を示している。図６（Ｃ）図は、小型のロボット４から取り出された肩部部品４１０の正面図を示し、図６（Ｄ）図は、その平面図を示している。図６（Ｅ）図は、小型のロボット４から取り出された前腕部部品４２０の平面図を示し、図６（Ｆ）図は、その側面図を示している。肩部部品４１０、前腕部部品４２０はねじ孔径・ねじ軸径が異なる以外は、肩部部品７０、前腕部部品２２０と同一の連結部品とされる。
【００７０】
図７（Ｇ）図は、武器部品４００を組み立てる前の状態を示し、図７（Ｈ）図は、小銃を模した武器部品４００を組立てた後の状態を示している。図７（Ｉ）図は、大型のロボット３に武器部品４００を装着させた状態を側面図により示している。
【００７１】
武器部品４００は、小型のロボット４を分解し、肩部部品４１０（図６（Ｃ）図参照）と前腕部部品４２０（図６（Ｅ）図参照）とを取り出し、これらと二段重ねナット１０とを螺合させて組立てられる（図７（Ｇ）図参照）。前腕部部品４２０は、皿ボルト４１１の皿面に六角ナット４１２の六角側面が溶接されている。二段重ねナット１０は、実施例１で説明しているため、ここでは説明を省略する。
【００７２】
武器部品４００の組み立て手順は、前腕部部品４２０をなす皿ボルトのねじ軸を、肩部部品４１０をなす三つの六角ナットのうち、外側に位置する六角ナット４１２のねじ孔４１３に螺合させる。同様に、肩部部品をなす皿ボルト４２１の一方に、二段重ねナット１０を螺合させる（図７（Ｇ）図参照）。そうすると、前腕部部品４２０をなす六角ナット４２２のねじ孔４２３が、小銃の照準器を模し（図６（Ｆ）図参照）、細長く延びる肩部部品４１０が小銃の本体を模し、二段重ねナット１０が銃床を模し、全体として小銃に模した武器部品４００が組立てられる（図７（Ｈ）図参照）。
【００７３】
大型のロボット３をなすボルト・ナットのねじ径は、小型のロボット４をなすボルト・ナットよりもねじ径の規格寸法が１つ大きくされている。そのため、前腕部部品２２０のねじ軸は、肩部部品をなす皿ボルト４１１のねじ軸よりも、ねじ径の規格寸法が１つ大きくなっている。
【００７４】
そうすると、単なる六角ナットでは武器部品４００を、大型のロボット３には螺合させることができない。しかし、二段重ねナット１０を使用すれば、武器部品４００を大型ロボット３に装着させることができるようになる。このように、二段重ねナットがあることにより、連結部品をなすボルト・ナットのねじ径の規格寸法のみが異なる二つのロボットであっても、互いを合体させて新たな完成形状のロボットとすることができる（図７（Ｉ）図参照）。
【実施例６】
【００７５】
実施例６では、図８を参照して、ねじ径の異なる二段重ねナット１０，１８，１９を使用して、実施例２から実施例４で説明した三体のロボット１，２，３を合体させて合体ロボット５を組立てる例について説明する。理解を容易にするため、図８では、実施例２で示したロボット１に含まれる部品を一点鎖線で囲って示し、実施例４で示したロボット３に含まれる部品を破線で囲って示している。
【００７６】
三体のロボット１，２，３を合体させる手順は、ロボット３を分解して、胴部部品３５０、脚部部品３７０、六角ナット３４０を連結させた状態のままとする（図８破線参照）。次に、ロボット２の肩部部品７０及び前腕部部品２２０を連結させた状態のまま、ロボット３の胴部部品３５０に螺合させる。同様に、示したロボット２の脚部部品８０と二段重ねナット１８を連結させた状態のまま、ロボット３の二段重ねナット１９に連結させる。
【００７７】
そして、ロボット１の頭部部品４０（図８一点鎖線参照）を、ロボット３の胴部部品３５０に螺合させる。更に、ロボット１の腕部部品をなす連結部品２０（図８一点鎖線参照）を、二段重ねナット１０を介して、ロボット２の前腕部部品２２０の先端部に連結させると、三体のロボット１，２，３を合体させた合体ロボット５が組立てられる。このように、二段重ねナットを使用することにより、複数のロボットを合体させることもでき、様々な完成形状のロボットを組立てられるようになる。
【００７８】
（その他）
・各々の実施例では、人型を模したロボットを例示して説明したが、ロボットは人型に限定されず、四足歩行の動物型、戦車型等の人型以外のロボットを組立ててもよいことは勿論のことである。
・今回開示された実施の形態はすべての点で例示であって、制限的なものではないと考えられるべきである。本考案の技術的範囲は、上記した説明に限られず実用新案登録請求の範囲によって示され、実用新案登録請求の範囲と均等の意味および範囲内でのすべての変更が含まれることが意図される。
【符号の説明】
【００７９】
１，２，３…ロボット、４…小型のロボット、５…合体ロボット、
１０，１８，１９…二段重ねナット、１１、１２…六角ナット、１３，１４…ねじ孔、１５…六角端面、１６…角隅部、
２０…連結部品、２１…皿ボルト、２２…皿面、２３…ねじ軸、２４…六角ナット、２５…六角端面、
３０…連結部品、３１…皿ボルト、３２…皿面、３３…ねじ軸、３４…六角ナット、３５…六角側面、
４０…頭部部品、４１…頭部上部部品、４２…六角袋ナット、４３…六角側面、４４…六角端面、４５…六角ナット、４６…頭部下部部品、４７…六角ナット、
５０…肩部部品、５１…蝶ナット、５２…翼部、５３…外方側面、５４…六角ナット、５５…六角端面、
６０…胴部部品、６１…六角ボルト、６２，６３…六角頭部側面、６４…六角ナット、
７０…肩部部品、７１，７２…六角ナット、７３…六角側面、７４…皿ボルト、７５…皿面、７６…ねじ軸、
８０…脚部部品、８１…皿ボルト、８２…皿面、
１１０…円筒ボルト、
２１０…頭部部品、２１１…六角ナット、２２０…前腕部部品、２２１…皿ボルト、２２２…六角ナット、２２３…外縁部、２３０…腰部部品、２３１，２３２…六角ナット、２４０…胴部部品、２４１…ねじ軸、２４２…他方のねじ軸、２５０…六角ナット、
３１０…頭部部品、３２０…上腕部部品、３２１…トラスボルト、３２２…平坦面、３２３…六角ナット、３３０…肩部部品、３３１…中央の六角ナット、３３２…小さい六角ナット、３４０…六角ナット、３５０…胴部部品、３５１…六角ボルト、３５２…六角ナット、３６０…前腕部部品、３７０…脚部部品、３７１…ねじ軸、
４００…武器部品、４１０…肩部部品、４１１…皿ボルト、４１２…六角ナット、４１３…ねじ孔、４２０…前腕部部品、４２１…皿ボルト、４２２…六角ナット、４２３…ねじ孔
【図１】
0003209777.tif 000003
【図２】
0003209777.tif 000004
【図３】
0003209777.tif 000005
【図４】
0003209777.tif 000006
【図５】
0003209777.tif 000007
【図６】
0003209777.tif 000008
【図７】
0003209777.tif 000009
【図８】
0003209777.tif 000010